(57)【要約】【課題】住宅情報盤の登録を何度も行えるようにすると共に、登録されていない住宅情報盤に対して容易に登録できる住宅情報盤の監視装置を提供する。【解決手段】マイコン１２は、操作部１１の操作による自動登録を検知したとき、各住戸の住宅情報盤にアクセスして動作しているか否かの動作状態を確認し、かつ、その動作状態の情報を第２メモリ１４に書き込み、この書き込みが終了したときに第２メモリ１４内の動作状態の情報を読み出し、監視対象の住宅情報盤の登録データとして第１メモリ１３に保存し、操作部１１の操作による手動登録を検知した後に、操作部１１によって設定された住宅情報盤の動作状態の情報を確認したときは、その情報を登録データとして第１メモリ１３に保存する。【選択図】　　　　図２
2004135126.tif 000002
【特許請求の範囲】
【請求項１】
監視対象の住宅情報盤の登録データを保存するための第１の記憶手段と、
住宅情報盤の動作状態の情報を一時的に格納するための第２の記憶手段と、
外部操作による自動登録を検知したとき、住宅情報盤にアクセスして動作しているか否かの動作状態を確認し、かつ、その動作状態の情報を前記第２の記憶手段に書き込む自動状態情報取得手段と、
該自動状態情報取得手段による書き込みが終了したときに第２の記憶手段に書き込まれた動作状態の情報を読み出し、監視対象の住宅情報盤の登録データとして第１の記憶手段に保存する登録データ保存手段とを備え、
自動状態情報取得手段は、外部操作による自動登録を検知する毎に住宅情報盤の動作状態を確認してその情報を第２の記憶手段に書き込むことを特徴とする住宅情報盤の監視装置。
【請求項２】
外部操作による手動登録を検知した後に、外部操作によって設定された住宅情報盤の動作状態の情報を確認したとき、その情報を登録データとして前記第１の記憶手段に保存する手動状態情報取得手段を備えていることを特徴とする請求項１記載の住宅情報盤の監視装置。
【請求項３】
監視対象外の住宅情報盤の登録データを格納するための第３の記憶手段と、
監視対象外に設定する住宅情報盤の情報が入力されたとき、その情報の登録データを第３の記憶手段に書き込む監視対象外設定手段と、
住宅情報盤にそれぞれアクセスして動作状態を確認し、かつ、その住宅情報盤の動作状態の情報と第１の記憶手段に書き込まれたその住宅情報盤の登録データとが一致するかどうかを判定し、前記情報と登録データが異なるときはその登録データが第３の記憶手段に存在するかどうかを検索し、第３の記憶手段にその登録データが存在するときは住宅情報盤の異常を無効にする機器状態判別手段と
を備えたことを特徴とする請求項１又は２記載の住宅情報盤の監視装置。
【請求項４】
前記機器状態判別手段は、住宅情報盤の動作状態の情報と前記第３の記憶手段に書き込まれたその住宅情報盤の登録データとが一致したとき、その登録データを第３の記憶手段から消去してその住宅情報盤を監視対象とすることを特徴とする請求項３記載の住宅情報盤の監視装置。
【請求項５】
住宅情報盤からの報知信号が入力されたとき、その住宅情報盤の登録データが前記第３の記憶手段に格納されているかどうかを検索し、その登録データを検知したときは前記報知信号に対する処理を無効にする無効信号判別手段を備えたことを特徴とする請求項３又は４記載の住宅情報盤の監視装置。
【発明の詳細な説明】
【０００１】
【発明の属する技術分野】
本発明は、例えば、共同住宅の各住戸内に設置されたＧＰ型３級受信機能を有する住宅情報盤を登録して監視する監視装置に関するものである。
【０００２】
【従来の技術】
従来、各住戸内にそれぞれ設置された住宅情報盤の登録は、管理室等に設置された集中監視装置に設けられているテンキーの入力によって行われていた。この集中監視装置では、各住戸に与えられた住戸番号のうち、未入居である住戸の住戸番号をテンキーで入力して未入居登録スイッチを操作することによりその住戸番号がメモリに記憶され登録されていた（例えば、特許文献１参照）。
【０００３】
【特許文献１】
特開平７−１２９８７４号公報（第２頁−第３頁、図１）
【０００４】
【発明が解決しようとする課題】
しかしながら、前述した従来の住宅情報盤の登録では、住戸数の多い共同住宅の場合は１住戸毎にテンキーで入力しなければならず、多くの時間と手間がかかるという問題があった。また、前述の従来の登録は、未入居／既入居に基づく登録であるために、施主への引き渡し前等、例えば防災設備の消防検査時にはまだ全ての住戸は未入居であっても防災設備は全て設置されていて、それらの防災設備の一つであるＧＰ型３級受信機、即ち住宅情報盤を全て登録されていなければならず、登録には大幅な時間と労力を要していた。また、例えば共同住宅の１号棟と２号棟の住宅情報盤全てを１台の集中監視装置で監視するようなシステムにおいては、１号棟が入居済みで、２号棟を後から増設するための工事中である場合には、２号棟の住宅情報盤全てを未入居登録にしなければならず、完成時には２号棟の住宅情報盤全てを未入居登録から削除しなければならなかった。
【０００５】
本発明は、かかる課題を解決するためになされたもので、住宅情報盤の登録を何度も行えるようにすると共に、登録されていない住宅情報盤に対して容易に登録できるようにし、また、登録した住宅情報盤を仮の未登録状態にしたり、その未登録状態の住宅情報盤を再登録したり、さらには仮の未登録状態の住宅情報盤からの警報を無視することのできる監視装置を提供することを目的とする。
【０００６】
【課題を解決するための手段】
（１）本発明に係る住宅情報盤の監視装置は、監視対象の住宅情報盤の登録データを保存するための第１の記憶手段と、住宅情報盤の動作状態の情報を一時的に格納するための第２の記憶手段と、外部操作による自動登録を検知したとき、住宅情報盤にアクセスして動作しているか否かの動作状態を確認し、かつ、その動作状態の情報を前記第２の記憶手段に書き込む自動状態情報取得手段と、自動状態情報取得手段による書き込みが終了したときに第２の記憶手段に書き込まれた動作状態の情報を読み出し、監視対象の住宅情報盤の登録データとして第１の記憶手段に保存する登録データ保存手段とを備え、自動状態情報取得手段は、外部操作による自動登録を検知する毎に住宅情報盤の動作状態を確認してその情報を第２の記憶手段に書き込むようにしたものである。
【０００７】
（２）本発明に係る住宅情報盤の監視装置は、前記（１）において、外部操作による手動登録を検知した後に、外部操作によって設定された住宅情報盤の動作状態の情報を確認したとき、その情報を登録データとして第１の記憶手段に保存する手動状態情報取得手段を備えたものである。
【０００８】
（３）本発明に係る住宅情報盤の監視装置は、前記（１）又は（２）において、監視対象外の住宅情報盤の登録データを格納するための第３の記憶手段と、監視対象外に設定する住宅情報盤の情報が入力されたとき、その情報の登録データを第３の記憶手段に書き込む監視対象外設定手段と、住宅情報盤にそれぞれアクセスして動作状態を確認し、かつ、その住宅情報盤の動作状態の情報と第１の記憶手段に書き込まれたその住宅情報盤の登録データとが一致するかどうかを判定し、前記情報と登録データが異なるときはその登録データが第３の記憶手段に存在するかどうかを検索し、第３の記憶手段にその登録データが存在するときは住宅情報盤の異常を無効にする機器状態判別手段とを備えたものである。
【０００９】
（４）本発明に係る住宅情報盤の監視装置は、前記（３）において、機器状態判別手段は、住宅情報盤の動作状態の情報と第３の記憶手段に書き込まれたその住宅情報盤の登録データとが一致したとき、その登録データを第３の記憶手段から消去してその住宅情報盤を監視対象とするようにしたものである。
【００１０】
（５）本発明に係る住宅情報盤の監視装置は、前記（３）又は（４）において、住宅情報盤からの報知信号が入力されたとき、その住宅情報盤の登録データが第３の記憶手段に格納されているかどうかを検索し、その登録データを検知したときは報知信号に対する処理を無効にする無効信号判別手段を備えたものである。
【００１１】
【発明の実施の形態】
実施の形態１．
図１は本発明の実施の形態１を説明するための概略システム図、図２は実施の形態１に係る住宅情報盤の監視装置を備えた住棟受信機の概略構成を示すブロック図である。
図において、１は例えば音声警報装置を有するＲ型受信機の住棟受信機で、共同住宅の管理室に設けられ、データ伝送路２を介して各住戸内の住宅情報盤３と接続されていると共に、図示していないが共用部分や機械室等に設けられた火災感知器やスピーカと直接又は中継器（図示せず）を介して接続されている。
【００１２】
住宅情報盤３は、玄関に設置されたドアホン４との通話機能を有し、火災感知器５、図示せぬガス漏れ検知器や防犯センサ等の作動を感知したときはその旨を住棟受信機１に報知すると共に、ドアホン４を通じて警報を発し、また、後述するが、住棟受信機１からの動作状態確認のための信号が入力されたときは、応答信号に自己のアドレス（例えば住戸番号）を書き込んで送出するようになっている。
【００１３】
住棟受信機１は、登録モード設定スイッチ１１ａ、自動／手動切換スイッチ１１ｂ、テンキー１１ｃ等を有する操作部１１と、後述するマイコン１２と、監視対象の住宅情報盤３の登録データを保存するための第１メモリ１３と、住宅情報盤３の動作状態の情報を一時的に格納するための第２メモリ１４と、第１メモリ１３に保存された登録データを第２メモリ１４に格納された動作状態の情報と比較照合するために書き込む第３メモリ１５と、データ伝送路２と接続されたＩ／Ｆ部１７と、液晶ディスプレイを備えた表示部１８と、表示部８と接続されたＩ／Ｆ部１９とを有している。なお、第１メモリ１３には、電源が遮断されても登録データが消去しないように不揮発性のメモリが使用されている。
【００１４】
前述したマイコン１２は、自動状態情報取得部１２ａ、登録データ保存部１２ｂ並びに手動状態情報取得部１２ｃの各機能を有している。例えば、電源投入により立ち上がった後に登録モード設定スイッチ１１ａのオンを検知し、次いで自動／手動切換スイッチ１１ｂの操作による自動を検知したときは、データ伝送路２を介して接続された各住戸の住宅情報盤３に対し、動作しているか否かの動作状態の情報を得るための信号を送出し、この信号の送出により応答信号が入力されたときは第２メモリ１４にアクセスして、応答信号上のアドレスから書込位置を認識し、動作状態の情報「１」を書き込む。応答信号がなかった住宅情報盤３に対する記録は「０」のままとする。
【００１５】
この動作状態の書き込みが終了したときは、第２メモリ１４内の全情報（「０」も含む）を読み出し、監視対象の住宅情報盤３の登録データとして第１メモリ１３に保存する。なおこの時、第１メモリ１３に保存された登録データに基づいて各住宅情報盤３のアドレスを表示部１８の液晶ディスプレイ上に表示する。例えば、登録データが「０」のアドレスについては点滅させて住宅情報盤３が動作していない旨を知らせる。
【００１６】
この登録データの設定は、前述したスイッチ１１ａ，１１ｂが操作される毎に繰り返し行えるようになっている。これは、高層の共同住宅によって戸数が多い場合に、配線工事が完了した階毎或いは複数階毎に住宅情報盤３の動作を確認できるようにするためである。これにより、動作していない住宅情報盤３を容易に特定できる。
【００１７】
また、このマイコン１２は、登録モード設定スイッチ１１ａのオン、自動／手動切換スイッチ１１ｂの操作による手動を検知した後に、テンキー１１ｃの操作による住宅情報盤３のアドレス（住戸番号）及び状態情報「１」が入力されたときは、第１メモリ１３にアクセスしてアドレスから書込位置を認識し、動作状態の情報「１」を書き込む。この手動による登録データの設定は、自動登録の際に、電源未投入や故障等で登録できなかった住宅情報盤３を再び登録させるためである。つまり、それらの原因を処理して動作可能になった住宅情報盤３に対して手動登録する。また、前述した手動登録は、設計変更などにより不必要となった住宅情報盤３の登録を前述の方法を用いて状態情報「０」を入力することによって削除できるようにするためでもある。
【００１８】
次に、本実施の形態１の動作を説明する。
住棟受信機１に電源が投入されると、住棟受信機１のマイコン１２は、登録モード設定スイッチ１１ａがオンされたかどうかを判定する。そのスイッチ１１ａがオフ状態のときは通常の監視動作に入るが、登録モード設定スイッチ１１ａのオンを検知すると、登録モードが自動か手動かを判定する。ここで、自動／手動切換スイッチ１１ｂの操作から自動を検知したときは、データ伝送路２に接続された各住戸の住宅情報盤３に対し、動作しているか否かの動作状態を得るための信号を送出する。一方、各住宅情報盤３は、前記信号の入力を検知したとき、応答信号に自己のアドレス（住戸番号）を書き込んで返送する。
【００１９】
住棟受信機１のマイコン１２は、その応答信号の入力を検知したとき第２メモリ１４にアクセスして、応答信号上のアドレスから書込位置を認識し、動作状態の情報「１」を書き込む。応答信号がなかった住宅情報盤３に対しては「０」のままとする。全ての書込処理が終了したときは、第２メモリ１４内の全情報（「１」と「０」）を読み出し、第１メモリ１３に住宅情報盤３の登録データとして保存する。この時、第１メモリ１３に保存された登録データに基づいて各住宅情報盤３のアドレス（住戸番号）を表示部１８の液晶ディスプレイ上に表示する。なお、前述したように登録データが「０」のアドレスについては点滅させて住宅情報盤３が動作していない旨を知らせる。
【００２０】
また、マイコン１２は、登録モード設定スイッチ１１ａのオンを検知し、自動／手動切換スイッチ１１ｂの操作による手動を検知した後に、テンキーの操作による住宅情報盤３のアドレス（住戸番号）を検知したときは、第１メモリ１３にアクセスして、そのアドレスから書込位置を認識し、動作状態の情報「１」を登録データとして書き込む。
【００２１】
なお、登録モード設定スイッチ１１ａのオフを検知したときは、第１メモリ１３内の登録データを第３メモリ１５に書き込んで、通常の監視動作に入る。この場合は、住宅情報盤３に対し、動作しているか否かの動作状態の情報を得るための信号を送出し、この信号の送出により応答信号が入力されたときは第２メモリ１４にアクセスして、応答信号上のアドレスから書込位置を認識し、動作状態の情報「１」又は「０」を書き込む。その後は、第２メモリ１４と第３メモリ１５からアドレス順に状態情報と登録データを読み出して照合する。例えば登録データが「１」で、状態情報が「０」の場合は、住宅情報盤３の異常と判断して警報を発し、管理人に知らせる。前述した動作状態確認のための信号は、所定時間毎に繰り返し送出されている。
【００２２】
なお、各住宅情報盤３は、応答信号に自己のアドレスを書き込んで返送するようにしたが、各住宅情報盤３毎或いはグループに分けられた住宅情報盤３毎にそれぞれの動作状態の情報を書き込むスロットが予め設定されていて、そのスロットに「１」を書き込むようにしてもよい。
【００２３】
以上のように本実施の形態１によれば、登録モード設定スイッチ１１ａをオンし、自動／手動切換スイッチ１１ｂで自動を選択した際、住宅情報盤３の登録を自動的に行い、しかも前記スイッチ１１ａ，１１ｂを操作する毎にその登録を繰り返し行えるようにしたので、現場の進行状況に応じて住宅情報盤３を登録できるようになり、また、自動／手動切換スイッチ１１ｂで手動を選択した後にテンキー１１ｃで登録できるようにしたので、何らかの原因で登録漏れの住宅情報盤に対しても登録できるようになり、作業効率が向上するという効果がある。
【００２４】
実施の形態２．
本実施の形態２は、登録した住宅情報盤を仮の未登録状態にしたり、その未登録状態の住宅情報盤を再登録したり、さらには仮の未登録状態の住宅情報盤からの警報を無視するようにしたものである。
図３は本発明の実施の形態２に係る住宅情報盤の監視装置を備えた住棟受信機の概略構成を示すブロック図である。なお、図１及び図２で説明した実施の形態１と同一又は相当部分には同じ符号を付し説明を省略する。
【００２５】
本実施の形態２の住棟受信機１には、操作部１１に登録データマスク設定スイッチ１１ｄが付加され、マイコン１２に本発明に係る監視対象外設定部１２ｄ、機器状態判別部１２ｅ及び無効信号判別部１２ｆの各機能が加えられ、さらに、監視対象外とする住宅情報盤３の登録データを格納するための第４メモリ１６が追加されている。
【００２６】
前記のマイコン１２は、通常の監視に入っているときに、テンキー１１ｃの操作による住宅情報盤３のアドレス（住戸番号）が入力され、登録データマスク設定スイッチ１１ｄのオンを検知すると、その住宅情報盤３の登録データ「１」をマスクすると判断して、その登録データを第１メモリ１３から読み出して第４メモリ１６にアドレスと関連づけて書き込むようになっている。この処理は、例えば、住戸の居住者が長期不在のために分電盤のメインブレーカを切った場合に、住棟受信機１がその住宅情報盤３の電源断による警報を発しないようにするためである。
【００２７】
なお、登録データマスク設定スイッチ１１ｄのオンを検知したとき、警報を発している住宅情報盤３の全てをマスクする対象として、第４メモリ１６に書き込むようにしてもよい。
【００２８】
また、このマイコン１２は、住宅情報盤３の監視に入ったときは、実施の形態１で述べたように第１メモリ１３内の登録データを第３メモリ１５に書き込んで、各住戸の住宅情報盤３に対し、動作しているか否かの動作状態の情報を得るための信号を送出する。この信号の送出により応答信号が入力されたときは第２メモリ１４にアクセスして、応答信号上のアドレスから書込位置を認識し、動作状態の情報「１」又は「０」を書き込む。その後は、第２メモリ１４と第３メモリ１５からアドレス順に状態情報と登録データを読み出して照合する。例えば登録データが「１」で、状態情報が「０」の場合は、その登録データが第４メモリ１６に書き込まれているかどうかを検索し、第４メモリ１６にその登録データが存在するときは住宅情報盤３の異常（電源断等による無応答）を無効にし、第４メモリ１６にその登録データが存在しないときは、住宅情報盤３の異常と判断して警報を発する。また、住宅情報盤３の動作状態の情報「１」と第４メモリ１６に書き込まれたその住宅情報盤３の登録データ「１」とが所定回数又は所定時間一致したときは、その登録データを第４メモリ１６から消去してその住宅情報盤３を監視対象にする。
【００２９】
さらに、前記のマイコン１２は、住宅情報盤３からの報知信号が入力されたときは、その住宅情報盤３の登録データが第４メモリ１６に格納されているかどうかを検索し、その登録データを検知したときは報知信号に対する処理を無効にし、登録データが第４メモリ１６に格納されていないときは報知信号に基づいて警報を発するようになっている。
【００３０】
次に、本実施の形態２の動作を説明する。
住棟受信機１のマイコン１２は、第１メモリ１３への登録データの保存を終了した後に、登録モード設定スイッチ１１ａのオンを検知すると、第１メモリ１３内の登録データを第３メモリ１５に書き込んで、動作状態確認のための信号を所定時間毎に繰り返し送出する。この信号の送出により応答信号が入力されたときは第２メモリ１４にアクセスして、応答信号上のアドレスから書込位置を認識し、動作状態の情報「１」又は「０」を書き込む。その後は、第２メモリ１４と第３メモリ１５からアドレス順に状態情報と登録データを読み出して照合する。状態情報と登録データとが同一のときはこの動作を繰り返し、状態情報と登録データとが異なるときは第４メモリ１６にその登録データが存在するかどうかを検索し、存在しないときは警報を発して前述した動作を繰り返す。
【００３１】
また、住宅情報盤３からの報知信号が入力されたときは、その住宅情報盤３の登録データが第４メモリ１６に格納されているかどうかを検索し、その登録データを検知したときは報知信号に対する処理を無効にするが、登録データが第４メモリ１６に格納されていないときは報知信号に基づいて警報を発する
【００３２】
前述した動作を繰り返しているときに、テンキー１１ｃの操作による住宅情報盤３のアドレス（住戸番号）が入力され、登録データマスク設定スイッチ１１ｄのオンを検知すると、その住宅情報盤３の登録データ「１」をマスクすると判断して、その登録データを第１メモリ１３から読み出して第４メモリ１６にアドレスと関連づけて書き込む。その後、登録モード設定スイッチ１１ａのオフを検知したときは、通常の監視に入って前述した信号を送出し、住宅情報盤３の動作状態の情報と登録データとの照合に入る。この動作状態の情報と登録データとが異なる場合は、その登録データが第４メモリ１６に書き込まれているかどうかを検索し、第４メモリ１６にその登録データが存在するときは住宅情報盤３の異常（電源断等による無応答）を無効にする。また、住宅情報盤３の動作状態の情報と第４メモリ１６に書き込まれたその住宅情報盤３の登録データとが所定回数又は所定時間一致したときは、その住宅情報盤３に電源が入ったと判断して、その登録データを第４メモリ１６から消去して住宅情報盤３を監視対象にする。
【００３３】
このように本実施の形態２においては、操作部１１からの入力又は登録データマスク設定スイッチ１１ｄをオンしたときに警報を発している住宅情報盤３を監視対象外の住宅情報盤３の登録データを第４メモリ１６に書き込めるようにしたので、長期不在で電源が遮断された住宅情報盤３に対しての警報を発するようなことがなくなり、また、監視対象外の住宅情報盤３の登録データと動作状態の情報とが所定回数又は所定時間一致したとき、自動的にその住宅情報盤３を監視対象とするようにしたので、操作の煩わしさがなくなった。第４メモリ１６に書き込まれた登録データの住宅情報盤３からの報知信号が入ってきても無効にするようにしたので、消防法とは関係のないガス漏れ検知器や警報センサの作動による警報を抑えることができる。
【００３４】
なお、実施の形態２では、監視対象外の住宅情報盤３の登録データと動作状態の情報とが一致したとき、自動的にその住宅情報盤３を監視対象とするようにしたが、操作部１１によって登録データを第４メモリ１６から削除するようにしてもよい。
【００３５】
また、本実施の形態では、第１メモリ１３内の登録データを第３メモリ１５に書き込んで第２メモリ１４と第３メモリ１５とのデータを照合するようにしたが、第１メモリ１３内に登録されている登録データと照合できればよいので、第２メモリ１４と第１メモリ１３とでデータを照合するようにしてもよい。
【００３６】
【発明の効果】
（１）本発明によれば、外部操作による自動登録を検知したとき、住宅情報盤の登録を自動的に行い、外部操作による自動登録を検知する毎に住宅情報盤の登録を繰り返し行えるようにしたので、現場の進行状況に応じて住宅情報盤を登録できるようになり、作業効率が向上するという効果がある。
【００３７】
（２）本発明によれば、外部操作による手動登録を検知した後に、外部操作によって設定された住宅情報盤の動作状態の情報を確認したとき、その情報を登録データとして第１の記憶手段に保存するようにしたので、何らかの原因で登録漏れの住宅情報盤に対しても登録できるようになり、作業効率が向上するという効果がある。
【００３８】
（３）本発明によれば、外部操作によって第３の記憶手段に書き込んだ監視対象外の住宅情報盤の登録データと動作状態の情報とが一致したとき住宅情報盤の異常を無効にするようにしたので、長期不在で電源が遮断された住宅情報盤３に対しての警報を発するようなことがなくなるとい効果がある。
【００３９】
（４）本発明によれば、住宅情報盤の動作状態の情報と第３の記憶手段に書き込まれたその住宅情報盤の登録データとが一致したとき、その登録データを第３の記憶手段から消去してその住宅情報盤を監視対象とするようにしたので、操作の煩わしさがなくなるという効果がある。
【００４０】
（５）本発明によれば、住宅情報盤からの報知信号が入力されたとき、その住宅情報盤の登録データが第３の記憶手段に格納されているかどうかを検索し、その登録データを検知したときは報知信号に対する処理を無効にするようにしたので、消防法とは関係のないガス漏れ検知器や警報センサの作動による警報を抑えることができる。
【図面の簡単な説明】
【図１】本発明の実施の形態１を説明するための概略システム図である。
【図２】実施の形態１に係る住宅情報盤の監視装置を備えた住棟受信機の概略構成を示すブロック図である。
【図３】本発明の実施の形態２に係る住宅情報盤の監視装置を備えた住棟受信機の概略構成を示すブロック図である。
【符号の説明】
１　住棟受信機、２　データ伝送路、３　住宅情報盤、１１　操作部、
１１ａ　登録モード設定スイッチ、１１ｂ　自動／手動切換スイッチ、
１１ｃ　テンキー、１１ｄ　登録データマスク設定スイッチ、１２　マイコン、
１３　第１メモリ、１４　第２メモリ、１５　第３メモリ、１６　第４メモリ、
１８　表示部。
【図１】
2004135126.tif 000003
【図２】
2004135126.tif 000004
【図３】
2004135126.tif 000005